【手続補正書】
【提出日】平成27年11月4日(2015.11.4)
【手続補正１】
【補正対象書類名】特許請求の範囲
【補正対象項目名】全文
【補正方法】変更
【補正の内容】
【特許請求の範囲】
【請求項１】
眼科手術用レーザシステムの遠位端に取り付け可能なレンズ支持システムと、
前記レンズ支持システムにより支持されかつ眼球表面に接触するよう構成された接眼レンズと、
前記レンズ支持システムおよび前記接眼レンズのうちの少なくとも１つに連結された調節可能な連結器であって、
前記眼球表面の非中心領域に連結されること、
中心圧平により前記眼球表面の中心領域に接触するよう前記接眼レンズを適応させること、
拡張圧平により前記中心領域よりも大きい前記眼球表面の拡張領域に接触するよう前記接眼レンズを適応させること、および
前記レンズ支持システムに対する該調節可能な連結器の構成を変化させることによって前記中心圧平と前記拡張圧平との間の変化を可能にすること、
を行うよう構成された調節可能な連結器と、
を含む、可変圧平患者インターフェース。
【請求項２】
前記調節可能な連結器は、前記眼球表面の前記非中心領域に対する前記結合を解放することなく、前記接眼レンズの前記中心圧平と前記拡張圧平との間の前記変化を可能にするよう構成された、
請求項１に記載の可変圧平患者インターフェース。
【請求項３】
前記中心圧平と前記拡張圧平との間の変化を可能にするよう構成された前記調節可能な連結器は、
前記中心圧平から前記拡張圧平への変化、および
前記拡張圧平から前記中心圧平への変化、
のうちの少なくとも１つを可能にするよう構成された前記調節可能な連結器を含む、請求項１に記載の可変圧平患者インターフェース。
【請求項４】
前記調節可能な連結器は前記レンズ支持システムに一体化されている、請求項１に記載の可変圧平患者インターフェース。
【請求項５】
前記調節可能な連結器は、
前記眼球表面との気密接触を形成するよう構成された吸引リングと、
前記接眼レンズ、前記吸引リング、および前記眼球表面により形成されたドッキングチャンバに吸引ポンプを接続するための真空ホースと、
を含み、
前記吸引リングはリング、スカート、コーン、および気密構造体のうちの少なくとも１つを含む、請求項１に記載の可変圧平患者インターフェース。
【請求項６】
前記眼球表面の前記中心領域に接触する前記接眼レンズは、前記眼科手術用レーザシステムが、眼球の水晶体の白内障レーザ処置、嚢切開、水晶体リシス、光崩壊、および水晶体チョップのうちの少なくとも１つを行うことを可能にし、
前記眼球表面の前記拡張領域に接触する前記接眼レンズは、前記眼科手術用レーザシステムが、角膜輪部減張切開、弓形切開、前眼房アクセス切断、前眼房入口切断、フラップ切断、および角膜屈折処置のうちの少なくとも１つを行うことを可能にする、請求項１に記載の可変圧平患者インターフェース。
【請求項７】
前記中心領域の半径は２〜５ｍｍの範囲にあり、
前記拡張領域の半径は４〜９ｍｍの範囲にある、
請求項１に記載の可変圧平患者インターフェース。
【請求項８】
前記中心圧平を有するよう前記接眼レンズを適応させるよう構成された前記調節可能な連結器は、前記接眼レンズを第１レンズ位置に配置するよう構成された前記調節可能な連結器を含み、
前記拡張圧平を有するよう前記接眼レンズを適応させるよう構成された前記調節可能な連結器は、前記接眼レンズを第２レンズ位置に配置するよう構成された前記調節可能な連結器を含み、
前記中心圧平と前記拡張圧平との間の変化を可能にするよう構成された前記調節可能な連結器は、前記第１レンズ位置と前記第２レンズ位置との間の前記接眼レンズの再配置を可能にするよう構成された前記調節可能な連結器を含む、
請求項１に記載の可変圧平患者インターフェース。
【請求項９】
前記眼科手術用レーザシステムは、
前記レンズ支持システム、前記接眼レンズ、および前記調節可能な連結器のうちの少なくとも１つに連結されたアクチュエータであって、機械的、摩擦利用型、バネ加圧型、接着剤利用型、圧搾空気型、化学型、熱型、磁気型、電気型、または電磁システムのうちの少なくとも１つを含むアクチュエータを含み、
前記アクチュエータは、前記接眼レンズを再配置することにより前記中心圧平と前記拡張圧平との間の前記変化が可能となるよう、前記調節可能な連結器を作動させるよう構成された、
請求項８に記載の可変圧平患者インターフェース。
【請求項１０】
前記調節可能な連結器を前記レンズ支持システムに接続することと、
前記接眼レンズが前記第１レンズ位置に配置される第１コネクタ構成を取ることと、
前記接眼レンズが前記第２レンズ位置に配置される第２コネクタ構成を取ることと、
前記第１コネクタ構成と前記第２コネクタ構成との間での構成の変化を可能にすることと、
を行うよう構成された可撓性コネクタを含む、請求項８に記載の可変圧平患者インターフェース。
【請求項１１】
前記レンズ支持システムおよび前記調節可能な連結器は別個の要素であり、
前記可変圧平患者インターフェースは、
前記接眼レンズが前記第１レンズ位置に配置される第１相対的位置を取るよう前記レンズ支持システムおよび前記調節可能な連結器を適応させることと、
前記接眼レンズが前記第２レンズ位置に配置される第２相対的位置を取るよう前記レンズ支持システムおよび前記調節可能な連結器を適応させることと、
前記レンズ支持システムおよび前記調節可能な連結器が前記第１相対的位置と前記第２相対的位置との間で変化することを可能にすることと、
を行うよう構成された位置決め機構を含む、
請求項８に記載の可変圧平患者インターフェース。
【請求項１２】
前記調節可能な連結器は、前記レンズ支持システムの中空円筒に摺動可能に係合することが可能な中空円筒を含み、
前記位置決め機構は前記レンズ支持システムの前記円筒を前記調節可能な連結器の前記円筒にロックするよう構成された、
請求項１１に記載の可変圧平患者インターフェース。
【請求項１３】
前記調節可能な連結器は、
内側真空ホースに連結された内側ドッキングチャンバを画成する内側吸引リングと、
外側真空ホースに連結された外側ドッキングチャンバを画成する外側吸引リングと、
を含み、
前記内側真空ホースおよび前記外側真空ホースは、それぞれ前記内側ドッキングチャンバおよび前記外側ドッキングチャンバを１つまたは複数の真空ポンプに連結する能力を有する、
請求項１に記載の可変圧平患者インターフェース。
【請求項１４】
前記可変圧平患者インターフェースは、第１吸引が前記外側真空ホースを通して前記外側ドッキングチャンバに印加されたときには、前記接眼レンズが前記眼球表面の前記中心領域に接触することを可能にするよう構成され、
前記可変圧平患者インターフェースは、第２吸引が前記内側真空ホースを通して前記内側ドッキングチャンバに印加されたときには、前記接眼レンズが前記眼球表面の前記拡張領域に接触することを可能にするよう構成された、
請求項１３に記載の可変圧平患者インターフェース。
【請求項１５】
前記中心圧平を有するよう前記接眼レンズを適応させるよう構成された前記調節可能な連結器は、第１レンズ形状を取るよう前記接眼レンズの形状を適応させるよう構成された前記調節可能な連結器を含み、
前記拡張圧平を有するよう前記接眼レンズを適応させるよう構成された前記調節可能な連結器は、第２レンズ形状を取るよう前記接眼レンズの形状を適応させるよう構成された前記調節可能な連結器を含み、
前記中心圧平と前記拡張圧平との間の変化を可能にするよう構成された前記調節可能な連結器は、前記接眼レンズの前記形状が前記第１レンズ形状と前記第２レンズ形状との間で変化することが可能となるよう構成された前記調節可能な連結器を含む、
請求項１に記載の可変圧平患者インターフェース。
【請求項１６】
前記眼科手術用レーザシステムは
前記レンズ支持システム、前記接眼レンズ、および前記調節可能な連結器のうちの少なくとも１つに連結されたアクチュエータであって、機械的、摩擦利用型、バネ加圧型、接着剤利用型、圧搾空気型、化学型、熱型、磁気型、電気型、または電磁システムのうちの少なくとも１つを含むアクチュエータ、
を含み、
前記アクチュエータは、前記接眼レンズの前記形状を変化させることにより前記中心圧平と前記拡張圧平との間の前記変化が可能となるよう、前記調節可能な連結器を作動させるよう構成された、
請求項１５に記載の可変圧平インターフェース。
【請求項１７】
前記アクチュエータは、前記調節可能な連結器に印加される吸引を増加することにより前記接眼レンズの前記形状を変化させるよう構成された吸引ポンプを含み、
前記接眼レンズはその形状を変化させる能力を有する物質を含む、
請求項１６に記載の可変圧平患者インターフェース。
【請求項１８】
前記接眼レンズはレオロジー流体を含み、
前記アクチュエータは磁場を印加することにより前記接眼レンズの可撓性を変化させるよう構成された、
請求項１６に記載の可変圧平患者インターフェース。
【請求項１９】
前記アクチュエータは前記レンズ支持システムを前記眼球に向かって降下させ、それにより前記接眼レンズの前記形状が変化する、請求項１６に記載の可変圧平患者インターフェース。
【手続補正２】
【補正対象書類名】図面
【補正対象項目名】全図
【補正方法】変更
【補正の内容】
【図１】
2015506193.tif 000001
【図２Ａ】
2015506193.tif 000002
【図２Ｂ】
2015506193.tif 000003
【図３Ａ】
2015506193.tif 000004
【図３Ｂ】
2015506193.tif 000005
【図４Ａ】
2015506193.tif 000006
【図４Ｂ】
2015506193.tif 000007
【図５Ａ】
2015506193.tif 000008
【図５Ｂ】
2015506193.tif 000009
【図６Ａ】
2015506193.tif 000010
【図６Ｂ】
2015506193.tif 000011
【図７Ａ】
2015506193.tif 000012
【図７Ｂ】
2015506193.tif 000013
【図８Ａ】
2015506193.tif 000014
【図８Ｂ】
2015506193.tif 000015
【図８Ｃ】
2015506193.tif 000016
【図８Ｄ】
2015506193.tif 000017
【図９】
2015506193.tif 000018
【図１０】
2015506193.tif 000019